(57)【要約】【課題】  眼幅を狭くしたときの輪郭形状をコンパクトにする。【解決手段】  双眼鏡１０は、左側観察光学系３３を内蔵した左カバーユニット３１に対して、右側観察光学系３５を内蔵した右カバーユニット３２を接近させる接近位置と離した離反位置との間で水平方向に移動させて眼幅を調節することができる。左前面カバー４２には内部遮蔽板５４が設けられ、内部遮蔽板５４は右カバーユニット３２を離反させたときに生じる前面の隙間をカバーする。内部遮蔽板５４には切り欠き部５５が設けられ、内部遮蔽板５４は、右カバーユニット３１を接近位置に移動したときに右前面カバー４８の背後に入り込む。このとき、切り欠き部５５に右側観察光学系３５の輪郭が入り込むため、右側カバーユニット３１を左側カバーユニット３２をさらに寄せることができる。【選択図】        図５
2005338295.tif 000002
【特許請求の範囲】
【請求項１】
一方の観察光学系の対物又は接眼レンズを露呈する一方のカバーと、他方の観察光学系の対物又は接眼レンズを露呈する他方のカバーとを相対的にスライド移動することで、前記一方と他方との観察光学系の光軸を互いに接近させる接近位置と離間させる離間位置との間で可変して眼幅調節を行う双眼鏡において、
前記一方のカバーのうちの他方のカバーに寄った端部に、前記他方のカバーに向けて突出して設けられており、離間位置のときに前面が前記一対のカバーの間に露呈され、また、接近位置のときには他方のカバーの背後に入り込むとともに、入り込んだときに一部を前記他方の観察光学系の輪郭の周りに入り込ませるための切り欠き部を形成した内部遮蔽板と、
一端が前記他方のカバーの裏面に取り付けられ、他端が前記一方のカバーの内部で移動自在に支持され、前記一端と他端との間の一部で前記切り欠き部を背後から遮蔽する、厚みの薄い弾性自在な切欠遮蔽板と、
前記他方のカバーの移動に連動して前記切り欠き部の遮蔽状態を維持させながら前記切欠遮蔽板の移動を案内するガイド手段とを備えたことを特徴とする双眼鏡。
【請求項２】
前記ガイド手段は、前記切欠遮蔽板の他端を一方のカバーの内部でかつ前記一方の観察光学系の光軸方向に向けて折り曲げて案内することを特徴とする請求項１記載の双眼鏡。
【請求項３】
前記ガイド手段は、前記切欠遮蔽板の他端をリールに巻き取りながら前記切欠遮蔽板の他端の移動をガイドすることを特徴とする請求項１記載の双眼鏡。
【請求項４】
前記切欠遮蔽板の他端を、前記他方のカバーを接近位置に移動するときのガイド方向に向けて付勢する付勢手段を備えたことを特徴とする請求項１記載の双眼鏡。
【発明の詳細な説明】
【技術分野】
【０００１】
本発明は、左右の観察光学系の光軸を相対的に移動することで眼幅を調節することができる双眼鏡に関するものである。
【背景技術】
【０００２】
従来、双眼鏡は、左右の観察光学系の光軸の間隔を観察者の眼の幅に合わすために、前記光軸の間隔が可変することができる。この機構としては、左右の観察光学系の間に設けた回転軸を中心として左右の観察光学系を回転させる揺動式と、左右の観察光学系の光軸を水平方向に相対的に平行移動させるスライド式とのタイプがある。揺動式のタイプでは、観察光学系を構成する対物レンズや接眼レンズとして断面円形のレンズしか用いることができない。このため、左右の観察光学系を狭くした状態では、スライド式の方が双眼鏡の外形輪郭をコンパクトにすることができる。
【０００３】
スライド式の機構を用いた双眼鏡には、左右の観察光学系を狭くした状態が広くした状態と比べて双眼鏡の体積が変化しない構成の双眼鏡（特許文献１に記載の双眼鏡）と、体積が小さくなる構成の双眼鏡（特許文献２に記載の双眼鏡）とがある。どちらのタイプでも、左右の観察光学系を相対的に水平方向に移動するため、各観察光学系の対物レンズが各々露呈する前左カバーと前右カバーとの間、又は各接眼レンズが露呈する後左カバーと後右カバーとの間に隙間が生じる。そこで、特許文献２に記載の双眼鏡では、右カバー２よりも左カバー３を大きくし、大きい方の左カバー３を動かすことにより、左光学系が移動後の空間をカバーするようにしている。
【０００４】
さらに、従来、電子カメラや写真用カメラなどの撮影機能を双眼鏡に組み込んだカメラ付き双眼鏡が知られている（特許文献３、特許文献４）。このような双眼鏡の前面には、左右の観察光学系の対物レンズの間に、撮影光学系の撮影レンズが露呈している。
【０００５】
【特許文献１】特公昭６０−４６４０７号公報
【特許文献２】特開平８−２２０４４６号公報（明細書段落［００２５］〜［００２７］）
【特許文献３】実公昭６０−２７３７０号公報
【特許文献４】特開２００２−１８２２７２号公報
【発明の開示】
【発明が解決しようとする課題】
【０００６】
しかしながら、特許文献２に記載の双眼鏡の構成では、グリップ側の右カバー２に対してスライド側の左カバー３を大きくして、大きい方の左カバー３を動かすことにより、左観察光学系が移動後の空間を、右カバー２に設けた内壁（特許文献２の図面図１（Ｂ）に符号１で示される部材や同図（Ｃ）に符号２２に示されるバリア）でカバーするようにしている。これでは、左カバー２を大きくした分、つまり左カバー２の眼幅調節方向の長さ、長くなるため、左右観察光学系の間隔を狭くしたときもその分、双眼鏡の外観形状が大きくなる。
【０００７】
また、特許文献２に記載の図４や図５に示されているように、双眼鏡の観察光学系は、一般的に、対物レンズ、プリズム、及び接眼レンズを光軸方向に並べ、これらを筒状のベースに一体的に組み込んだユニット部品となっており、そのユニット部品が双眼鏡の前面から後面に横たわって右・左カバーとの内部にそれぞれ配されている。このため、観察光学系の間隔をできるだけ広げることを考慮すると、左カバーを大きくすることに加えて、右カバー２に設けた前記内壁の眼幅調節方向の長さを長くすればよいが、逆に、観察光学系の間隔をなるべく狭くすることを考慮すると、前記内壁の端が前記ユニット部品（観察光学系）の横に当接するため、この位置までしか左カバー３を右カバー２に寄せることができない構造上の問題がある。
【０００８】
さらに、スライド式の眼幅調節機構のタイプで、且つ、カメラ付き双眼鏡を考慮した場合、左右観察光学系の間に撮影光学系が配されている分、左右観察光学系の間隔が長くなり、広くしたときの目隠し対策、及び、狭くしたときの外形のコンパクト化が難しくなる。
【０００９】
本発明は、左右観察光学系の間隔を広くしたときの目隠しを施した上で、狭くした形態をよりコンパクトにすることができる双眼鏡を提供することを目的とする。
【課題を解決するための手段】
【００１０】
前記目的を達成するために、本発明の眼幅調節機構の空間隠し装置では、一方の観察光学系の対物又は接眼レンズを露呈する一方のカバーと、他方の観察光学系の対物又は接眼レンズを露呈する他方のカバーとを相対的にスライド移動することで、前記一方と他方との観察光学系の光軸を互いに接近させる接近位置と離間させる離間位置との間で可変して眼幅調節を行う双眼鏡において、前記一方のカバーのうちの端部に前記他方のカバーに向けて突出して設けられており、離間位置のときに前記一対のカバーの間に露呈され、また、接近位置のときには他方のカバーの背後に入り込むとともに、入り込んだときに一部を前記他方の観察光学系の輪郭の周りに入り込ませるための切り欠き部を形成した内部遮蔽板と；一端が前記他方のカバーの裏面に取り付けられ、他端が前記一方のカバーの内部で移動自在に支持され、前記一端と他端との間の一部で前記切り欠き部を背後から遮蔽する、厚みの薄い弾性自在な切欠遮蔽板と；前記他方のカバーの移動に連動して前記切り欠き部の遮蔽を維持させながら前記切欠遮蔽板の移動を案内するガイド手段とを備えたことを特徴とする双眼鏡。
【００１１】
切欠遮蔽板としては、厚みが薄く、且つ、弾性自在な帯状の板が望ましく、例えば金属スクリーンなどが好適である。ガイド手段としては、遮蔽部材の他端を他方のカバーと同じ方向に案内する移動させる手段や、遮蔽部材の他端を一方のカバーの内部に向けて折り曲げて案内する手段を用いることができる。さらに、遮蔽部材の他端を巻き取りながら遮蔽部材の一端の移動をガイドするガイド手段を用いてもよい。さらに、接近位置となるように他方のカバーを移動したときに前記ガイド手段が案内する方向に前記遮蔽部材の他端を付勢するバネを用いてもよい。
【００１２】
また、本発明としては、双眼鏡の前面ではなく背面の一対のカバーとの間に生じる隙間を隠すために用いても良い。
【発明の効果】
【００１３】
本発明では、観察光学系の光軸が互いに離れるように一方のカバーと他方のカバーとを相対的に離反させたときに、一方と他方とのカバーの間に生じる隙間をカバーする内部遮蔽板に切り欠き部を設け、観察光学系の光軸が互いに接近するように一方のカバーと他方のカバーとを相対的に接近させたときに内部遮蔽板が他方のカバーの背後に入り込むとともに、前記切り欠き部に他方の観察光学系の輪郭の周りが入り込むため、観察光学系の光軸を内部遮蔽板の眼幅調節方向の長さ以下となる位置まで接近させることができるのでコンパクト化を図ることができる。また、厚みの薄い弾性自在な切欠遮蔽板で切り欠き部を遮蔽する構成にしたから、内部に大きなスペースを作る必要がなく、内部部品の配置に制約を生じさせることはない。
【発明を実施するための最良の形態】
【００１４】
電子カメラ付き双眼鏡１０には、図１に示すように、外カバー１１の前面に、左右の観察光学系を構成する対物レンズ１２，１３が所定の間隔隔ててそれぞれ露呈している。外カバー１１の外形は、手でグリップする左右側面が円弧となった弁当箱形状をしている。一対の対物レンズ１２，１３の間には、撮像光学系を構成している撮像レンズ１４が露呈している。観察光学系及び撮像光学系の光軸は略平行となっている。
【００１５】
外カバー１１の上面には、ピント合わせリング１５、電源ボタン１６、シャッタボタン１７、及び、モード切替ボタン１８などが露呈して設けられている。ピント合わせリング１５は、一対の観察光学系のピントを合わせるときに操作する。モード切替ボタン１８は、撮影を行う撮影モードと、記録画像を再生する再生モードとでモードを切り替えるときに操作する。シャッタボタン１７は、観察光学系で観察した観察対象を被写体として撮像光学系で撮像するときに操作する。
【００１６】
外カバー１１の背面には、前記観察光学系を構成する接眼レンズ２０，２１がそれぞれ露呈している。また、底面には、表示部２３が取り付けられている。表示部２３は、ヒンジ２４を介して起立位置と倒伏位置との間で折り畳み自在となっている。起立位置では、表示部２３の画面（以下、「ＬＣＤモニタ」と称す）２５を接眼レンズ２０，２１の方から覗く姿勢となる。ヒンジ２４は、起立位置のときの表示部２３の上に設けられ、観察光学系の光軸に直交する方向に沿った軸を中心として表示部２３を回転させる。さらに、左側面には、メモリカード着脱用のスロット２６や電池蓋２７が設けられている。倒伏位置では、図３に示すように、ＬＣＤモニタ２５を底面に伏せた姿勢となる。
【００１７】
外カバー１１は、図４に示すように、正面から見て左側に見える左カバーユニット３１と、右側に見える右カバーユニット３２とで構成されている。右カバーユニット３２は、左カバーユニット３１に最も寄った接近位置（図１に示した位置）と、最も離した離間位置との間で水平方向に直線的に移動自在となっている。なお、右カバーユニット３２を離間位置から接近位置に移動すると、双眼鏡１０の輪郭外形が小さくなる。
【００１８】
左カバーユニット３１には、図５に示すように、左側の観察光学系３３や撮像光学系３４が内部に固定されており、また、外部に表示部２３が固定されている。右カバーユニット３２には、右側の観察光学系３５が内部に固定されている。
【００１９】
右カバーユニット３２の移動をガイドするガイド機構は、右カバーユニット３２の内部に設けた一対のガイド棒３６，３７と、左カバーユニット３１の内部で前記ガイド棒３６，３７を水平方向に移動自在に案内する案内部３８，３９と、離間位置のときにガイド棒３６，３７が案内部３８，３９から抜けることを防止するストッパ４０，４１とで構成されている。
【００２０】
観察するときには、右カバーユニット３２を接近位置と離間位置との間の任意の位置に引き出して接眼レンズ２０，２１の間隔を眼幅に応じた間隔に調節する。
【００２１】
左カバーユニット３１は、前面を覆う左前面カバー４２、上・下面と左側面とを覆う上下左側面カバー４３、及び背面を覆う左後面カバー４４とで構成されている。左前面カバー４２には、左側の観察光学系３３の対物レンズ１２及び撮像光学系３４の撮像レンズ１４がそれぞれ露呈する開口４５，４６が設けられている。また、左後面カバー４４には、左側の観察光学系３３の接眼レンズ２０が露呈する開口４７（図３参照）が設けられている。
【００２２】
また、右カバーユニット３２は、前面を覆う右前面カバー４８、上・下面と左側面とを覆う上下右側面カバー４９、及び、背面を覆う右後面カバー５０とで構成されている。右前面カバー４８には、右側の観察光学系３５の対物レンズ１３が露呈する開口５１が設けられている。また、右後面カバー５０には、右側の観察光学系３５の接眼レンズ２１が露呈する開口５２（図３参照）が設けられている。
【００２３】
左右の観察光学系３３，３５は、双方とも対物レンズ１２，１３、正立プリズム５３、及び、接眼レンズ２０，２１で構成される光学系となっており、各光学系の像倍率も同じになっている。右側の観察光学系３５は、対物レンズ１３、正立プリズム５３、及び、接眼レンズ２１をベース板３５ｂに一体的に組み付けて、断面略矩形状の輪郭形状を光軸方向に長く延ばした形態のユニット部品となっている。他方の観察光学系３３も同じ構成となっており、前述したと同じ形態のユニット部品となっている。このようなユニット部品となっている観察光学系３３，３５は、左及び右前面カバー４２，４８と左及び右後面カバー４４，５０との間の内部に、光軸３３ａ，３５ａの方向に沿わして配されている。
【００２４】
右カバーユニット３２を接近位置に移動させたときには、対向するそれぞれのカバー４２，４８との端部４２ａ，４８ａが当接する。右カバーユニット３２を左カバーユニット３１から離した離間位置のときには、カバー４２，４８との端部４２ａ，４８ａとの間に隙間が生じる。
【００２５】
左前面カバー４２には、端部４２ａのうちの一段後方に凹んだ位置に内部遮蔽板５４が設けられている。内部遮蔽板５４は、右前面カバー４８に向けて突出して設けられており、離間位置のときに端部４２ａ，４８ａとの間に生じる隙間を塞ぐ目隠しの作用をなす。この内部遮蔽板５４は、右カバーユニット３２を接近位置に移動したときに、右前面カバー４８の背後に入り込む。本実施形態では、図６及び図７に示すように、右前面カバー４８の背面に一段凹んだ面４８ｂを形成し、その凹んだ面４８ｂに内部遮蔽板５４が入り込むように構成している。そして、右前面カバー４８を接近位置に移動したときに内部遮蔽板５４の突出側の端部５４ａが右側の観察光学系３５の輪郭にぶつかる。このため、それ以上、右カバーユニット３２を左カバーユニット３１に寄せることはできない。
【００２６】
そこで、内部遮蔽板５４に切り欠き部５５を形成している。切り欠き部５５は、右側の観察光学系３５の一部を逃がすためものであり、内部遮蔽板５４の端部５４ａを開放している。本実施形態では、端部５４ａの中央に切り欠き部５５を形成して端部５４ａをフォーク状に形成している。このように切り欠き部５５を設けることで、右カバーユニット３２を接近位置に移動したときに、切り欠き部５５に右側の観察光学系３５の輪郭の一部が入り込み、フォーク状の端部５４ａが右側の観察光学系３５の正面から見た輪郭の周りを挟み込む状態となる。これにより、内部遮蔽板５４に右側の観察光学系３５が入り込んだ分だけ右カバーユニット３２を左カバーユニット３１に寄せることができ、接近位置のときの双眼鏡１０の外観をさらにコンパクトにすることができる。なお、内部遮蔽板５４の端部５４ａをＬ字状に形成してもよい。この場合には、Ｌ字状の上又は下の突出部が右側の観察光学系３５の輪郭の上又は下に入り込むように構成すればよい。
【００２７】
内部遮蔽板５４は、右カバーユニット３２を離間位置に移動すると、前面が左カバーユニット３１との間に露呈される。このため、内部遮蔽板５４に設けた切り欠き部５５を遮蔽する必要がある。そこで、内部遮蔽板５４の背後に、切欠遮蔽板５６を設けている。切欠遮蔽板５６は、薄厚で弾性自在な帯状の金属板（金属スクリーン）となっており、一端５６ａが右前面カバー４８の背後に固定され、内部遮蔽板５４の背後を通って他端５６ｂが左カバーユニット３１の内部に移動自在に収納されている。切欠遮蔽板５６は、右カバーユニット３２の移動に伴って眼幅調節方向に移動する。
【００２８】
なお、左カバーユニット３１には、上・下補強板５７，５８が突出して固定されている。上・下補強板５７，５８は、右カバーユニット３２を離反位置にしたときに左カバーユニット３１との間の隙間のうちの上・下面の隙間をカバーするとともに、右カバーユニット３２の移動をガイドする。
【００２９】
左カバーユニット３１の内部には、ガイド棒５９が設けられている。ガイド棒５９には、切欠遮蔽板５６の他端５６ｂを左カバーユニット３１の内部に向けて且つ観察光学系３３の光軸３３ａの方向に折り曲げて案内する。また、上・下補強板５７，５８の対向する内壁には、切欠遮蔽板５６の他端５６ｂを光軸３３ａの方向に移動自在にガイドする溝６０がそれぞれ設けられている。この溝６０とガイド棒５９とで挟み込んで切欠遮蔽板５６の左前面カバー４２に向けた引き込みを内部に向けて折り曲げて案内している。切欠遮蔽板５６の長さは、右カバーユニット３２を離間位置に移動したときに他端５６ｂがガイド棒５９から抜けない長さとなっている。また、内部遮蔽板５４の背面の上下には、切欠遮蔽板５６の移動を許容しながら、切り欠き部５５から離れないように押さえる断面Ｌ字状の押さえ部材６１，６２がそれぞれ設けられている。
【００３０】
このような構成によれば、右カバーユニット３２が接近位置のときには、右前面カバー４８の背後に、内部遮蔽板５４、及び、切欠遮蔽板５６が前面から順に重なった状態で位置しており、切り欠き部５５に右側の観察光学系３５の一部が入り込んでいる。なお、本実施形態では、切欠遮蔽板５６の一端５６ａにも切り欠き部５６ｃを設け、その切り欠き部５６ｃに右側の観察光学系３５の一部が入り込む構成にしている。そして、切欠遮蔽板５６の他端５６ｂは、ガイド棒５９と溝６０とにより観察光学系３３の光軸３３ａの方向に折り曲げられて案内されている。
【００３１】
右カバーユニット３２を離間位置に向けて移動させると、右前面カバー４８の移動に伴って左前面カバー４２に設けた内部遮蔽板５４とともに切り欠き部５５が露呈する。このとき、右前面カバー４８の移動と一緒に切欠遮蔽板５６がその移動方向に引き出されるため、切欠遮蔽板５６による切り欠き部５５の背後からの遮蔽は継続して維持される。そして、切欠遮蔽板５６の他端５６ｂは、溝６０に案内されてガイド棒５９の近傍まで移動する。
【００３２】
なお、上記実施形態では、眼幅調節により双眼鏡１０の前面に生じる隙間を隠す構成について説明しているが、背面に生じる隙間を隠す構成にも採用することができるのは言うまでもない。また、上記実施形態では、ガイド棒５９を設けて切欠遮蔽板５６の他端５６ｂを光軸３３ａの方向に９０度折り曲げて案内しているが、ガイド棒５９を省略して折り曲げずに直線的に案内するようにしてもよい。また、切欠遮蔽板５６の他端５６ｂにバネを掛け、他端５６ｂを引き込む方向に付勢するように構成してもよい。この構成によれば、切欠遮蔽板５６の弛みやガタ付きを無くすることができるので、切り欠き部５５との隙間を密にすることができる。
【００３３】
さらに、ガイド棒５９に代えて巻き取りローラを設け、切欠遮蔽板５６の他端５６ｂをそのローラの外周に巻き取るように構成してもよい。この場合には、巻き取りローラに割り溝を形成し、割溝に他端５６ｂを挟み付けて固定しておき、そして、右カバーユニット３２の移動に連動して巻き取りローラを回転させる。この連動機構としては、ラックとピニオンギヤとを利用した歯車伝達機構とするのが好適である。この連動機構は、右カバーユニット３２を離間位置に移動するときには巻き取りローラを送り出し方向に回転し、逆に接近位置に移動するときには巻き取りローラを巻き取り方向に回転するように構成すればよい。さらに連動機構を省略して、代わりに、巻き取りローラを巻き取り方向に付勢するバネを用いてもよい。
【００３４】
さらに、眼幅調節により双眼鏡１０の前面に生じる隙間に加えて背面に生じる隙間も隠すように、前面の切り欠き部５５を遮蔽する前面用切欠遮蔽板と、背面の切り欠き部を遮蔽する背面用切欠遮蔽板とを設け、前面及び背面用の切欠遮蔽板の端部を左カバーユニットの内部に向けて、かつ観察光学系３３の光軸３３ａに向けて折り曲げて収納する構成とする場合、前面及び背面用の切欠遮蔽板の端部同士にバネを掛け、バネで互いの端部を引き込み方向にそれぞれ付勢するように構成してもよい。
【００３５】
このような構成の双眼鏡の動作を説明する。図８に示すように、各観察光学系３３，３５は、物体側から順に配された対物レンズ１２，１３、正立プリズム５３、及び、接眼レンズ２０，２１で構成されている。観察は、接眼レンズ２０，２１を覗きながら、ピント合わせリング１５を操作する。ピント合わせリング１５を操作すると、その操作量に応じてメカ機構である連動機構７０を介して各接眼レンズ２０，２１が観察光学系３３，３５の光軸３３ａ，３５ａの方向に移動する。これにより、観察光学系３３，３５のピント合わせが行える。
【００３６】
次に、操作部７１を構成する電源ボタン１６をオンし、表示部２３を起立位置に回転させる。電源ボタン１６のオンに応答してシステムコントローラ７２がＣＣＤ駆動部７３を駆動する。ＣＣＤ駆動部７３は、ＣＣＤセンサ７４を制御して撮像光学系３４で結像される被写体像を光電変換する。変換したアナログ信号は、Ａ／Ｄ変換器７６に送られ、ここでデジタル変換されて画像データが生成される。その画像データは、バスライン７７を介してＡＥ／ＡＦ処理部７８に送られる。
【００３７】
なお、システムコントローラ７２には、ＲＯＭ７９、ＲＡＭ８０が接続されており、また、システムコントローラ７２は、ＡＥ／ＡＦ処理部７８、メディアＩ／Ｆ８１、画像処理部８２、ビデオメモリ８３、及びＬＣＤドライバ８４を制御する。ＲＯＭ７９には、該双眼鏡１０の各種動作を制御するためのプログラムが記憶されており、システムコントローラ７２は、そのプログラムにしたがって各部を制御する。ＲＡＭ８０は、プログラム実行時に必要な各種変数などが一時的に書き込まれるワークメモリとして利用される。
【００３８】
ＡＥ／ＡＦ処理部７８は、画像データに基づいて、被写体輝度に応じたＡＥ信号、及びコントラストに応じたＡＦ信号をそれぞれ生成してこれらをシステムコントローラ７２に送る。システムコントローラ７２は、ＡＥ信号に基づき適正な露光量となるようにＣＣＤ駆動部７３を制御し、また、ＡＦ信号に基づきコントラストが最大となるようにフォーカスレンズ駆動部８５を制御する。撮像光学系３４は、対物側から順に配置された撮像レンズ１４、及びフォーカスレンズ８７とで構成されており、観察光学系と同じ倍率となっている。フォーカスレンズ駆動部８５は、ＡＦ信号に基づいてフォーカスレンズ８７を撮影光軸７５ａの方向に移動して撮像光学系３４のピントを観察被写体に合わせる。
【００３９】
また、Ａ／Ｄ変換器７６から送られる画像データは、画像処理部８２に取り込まれ、ここでガンマ補正、ホワイトバランスの調節などが行われた後に、ビデオメモリ８３にいったん書き込まれる。システムコントローラ７２は、ビデオメモリ８３から画像データを読み出して、これをＬＣＤドライバ８４に送るよう制御する。ＬＣＤドライバ８４は、画像データをエンコードして撮像画像をＬＣＤモニタ２５にスルー表示させる。
【００４０】
ＬＣＤモニタ２５に映し出されたスルー画像は、ヒンジ２４又は外カバー１１の底面側に、天がくる向きで表示される。このとき、表示部２３が該双眼鏡１０の底面に設けられているので、接眼レンズ２０，２１を覗く目の位置から下目使いをすればＬＣＤモニタ２５を容易に見ることができ、例えば本体部の上にある画面を見るのと比べて、目線の送りを無理なく行える。また、該双眼鏡１０の底面が庇の役目を果たすため、日光などの外光が入射せず、よって液晶画面が非常に見やすくなる。さらに、遠近両用メガネを使用している場合、接眼レンズ２０，２１を上目使いで覗いて遠景の被写体を、また下目使いで近景の画面を見るので非常に都合がよい。
【００４１】
表示画像又は観察画像を見ながら、シャッタボタン１７を押下する。シャッタボタン１７の操作に応答して画像処理部８２からその時点の画像データがメディアＩ／Ｆ８１を介してメモリカード８８に記録される。記録される画像データは、ＬＣＤモニタ２５に一定時間表示される。このようにして観察しながらシャッタレリーズを行って観察被写体を撮像する。
【００４２】
記録画像を表示するときには、モード切替ボタン１８を操作して再生モードを選択する。再生モードを選択すると、メモリカード８８に記録した画像がＬＣＤモニタ２５に順に表示される。
【００４３】
不使用時には、電源ボタン１６をＯＦＦするとともに、表示部２３を倒伏位置に回転させるとともに、右カバーユニット３２を接近位置に移動する。これにより、切り欠き部５５に右側の観察光学系３５が入り込む分だけ外カバー１１の輪郭をコンパクトにすることができるとともに、表示部２３が折り畳まれるのでさらに外形をコンパクトにすることができる。
【００４４】
上記実施形態では、左カバーユニットに対して右カバーユニットを移動自在に設けて眼幅を調節する双眼鏡について説明しているが、本発明ではこのような構成に限らず、中央の本体部に対してその両側に配した左・右カバーユニットをそれぞれ移動自在に設けた構成の双眼鏡にも本発明を適用することができるのは言うまでもない。この場合には、本体部の前カバーの両側に内部遮蔽板をそれぞれ設ける。これによれば、各内部遮蔽板にそれぞれ形成した切り欠き部に左右の観察光学系が各々入り込むまで、左・右カバーユニットを本体部にそれぞれ寄せることができる。電子カメラ付き望遠鏡の場合には、この本体部に撮像光学系を内蔵させるのが好適である。さらに、上記実施形態では、電子カメラ付き双眼鏡として説明しているが、本発明ではこれに限らず、電子カメラを省略してたんなる双眼鏡として構成したものでもよい。
【図面の簡単な説明】
【００４５】
【図１】撮像機能付き双眼鏡の前面、上面、及び右側面を表す前面側斜視図である。
【図２】図１で説明した双眼鏡の背面、底面、及び左側面を表す背面側斜視図である。
【図３】表示部を折り畳んだ状態を示す背面側斜視図である。
【図４】右カバーユニットを離間位置に引き出した状態を示す正面側斜視図である。
【図５】右カバーユニットを分解した撮像機能付き双眼鏡を示す正面側斜視図である。
【図６】左前面カバーと右前面カバーとの関係を示す説明図であり、背面から見ている。
【図７】右カバーユニットを接近位置にしたときの右前面カバー、内部遮蔽板、及び、切欠遮蔽板との関係を示す要部断面である。
【図８】双眼鏡の電気的構造の概略を示すブロック図である。
【符号の説明】
【００４６】
１１  外カバー
３３  左側観察光学系
３５  右側観察光学系
５４  内部遮蔽板
５５  切り欠き部
５６  切欠遮蔽板
４２  左前面カバー
４８  右前面カバー
【図１】
2005338295.tif 000003
【図２】
2005338295.tif 000004
【図３】
2005338295.tif 000005
【図４】
2005338295.tif 000006
【図５】
2005338295.tif 000007
【図６】
2005338295.tif 000008
【図７】
2005338295.tif 000009
【図８】
2005338295.tif 000010